(57)【要約】【課題】  前面に大きなスペースを確保することができない場合であっても、衣類を容易に取り出すことができる防虫カバーを提供する。【解決手段】  カバー本体１１前面２１に、中心Ｃより左側部側に上縁１２から下縁２７に渡って上下に延在するスリット６１を形成し、カバー本体１１内のハンガー２に掛けられた衣類を取り出す為の取出口６２を形成できるように構成する。カバー本体１１の前面２１を、スリット６１を境とする左方側の左方領域６３と右方側の右方領域６４とに区画し、左方領域６３の幅寸法６５を、右方領域６４の幅寸法６６より狭くなるように構成する。この取出口６２にチャック７５を設けて取出口６２を開閉できるように構成し、内部への害虫の侵入を防止できるように構成する。【選択図】        図１
2006345941.tif 000002
【特許請求の範囲】
【請求項１】
ハンガーに掛けられた衣類を覆うカバー本体に、上下に延在したチャックで開閉される取出口が設けられた防虫カバーにおいて、
前記取出口を、前記カバー本体の前面であって、当該カバー本体の中央より一側部側に設け、当該取出口を境とする前記一側部側の幅寸法を他側部側の幅寸法より狭く設定したことを特徴とする防虫カバー。
【請求項２】
前記カバー本体を、前面を形成する前面シート部材と背面を形成する背面シート部材とで構成するとともに、前記前面シート部材と前記背面シート部材との側縁が接合された側縁接合部を内側に谷折りにして前記カバー本体の厚み方向への展開を許容する襠部を設けたことを特徴とする請求項１記載の防虫カバー。
【請求項３】
前記防虫カバーが、上縁が両側縁から中心に向かうにしたがって上方に傾斜していることを特徴とする請求項１項又は２項いずれかの項記載の防虫カバー。
【請求項４】
前記カバー本体を、前面を形成する前面シート部材と背面を形成する背面シート部材とで構成し、前記前面シート部材の側縁と前記背面シート部材の側縁とを側縁接合部にて接合する一方、
当該カバー本体の側縁部に、前記前面シート部材と前記背面シート部材とを接合するとともに、その一端が当該カバー本体の側縁に達する接合部を形成し、当該カバー本体の内側にポケットを形成したことを特徴とする請求項１、２又は３記載の防虫カバー。
【発明の詳細な説明】
【技術分野】
【０００１】
本発明は、ハンガーに掛けた衣類を覆う防虫カバーに関する。
【背景技術】
【０００２】
従来、ハンガーに掛けた衣類の虫食いを防止する際には、防虫カバーが用いられていた。
【０００３】
この防虫カバーは、衣類を覆う袋状に形成されており、その中央には、上下に延在するスリットが設けられ衣類の取出口が形成されている。この取出口の開口縁部には、チャックが設けられており、衣類を取り出す際に開閉できるように構成されている。
【０００４】
これにより、前記防虫カバーから衣類を取り出す際には、前記チャックを開けるとともに、防虫カバーの中央に設けられたスリットを左右に開くことによって、当該防虫カバー中央部に大きな取出口を形成できるように構成されている。
【０００５】
このようなハンガーは、クローゼットに掛け渡されたパイプに掛けて使用することが多く、隣接したハンガー同士は、密接して配置されている。このため、ハンガーに掛けられた衣類を取り出す際には、隣接したハンガーとの間に大きなスペースを確保してから前記防虫カバーの中央部に取出口を開口しなければならなかった。
【０００６】
一方、カバー前面に大きなスペースを確保すること無く、ハンガーからの衣類の取り出しを可能とした衣服用カバーが考案されている（例えば、特許文献１）。
【０００７】
この衣服用カバーは、カバー本体を構成する前面の側縁と背面の側縁との接続部分にチャックが設けられており、衣服用カバーの側部に取出口を形成できるように構成されている。
【０００８】
これにより、カバー前面に大きなスペースを確保できない使用状態であっても、側部に形成される取出口から衣類を取り出せるように構成されている。
【特許文献１】特開平４−９１８３号公報
【発明の開示】
【発明が解決しようとする課題】
【０００９】
しかしながら、このような従来の衣類用カバーにあっては、衣類を取り出す為の取出口が狭く、衣類を取り出しにくいという問題があった。
【００１０】
本発明は、このような従来の課題に鑑みてなされたものであり、前面に大きなスペースを確保することができない場合であっても、衣類を容易に取り出すことができる防虫カバーを提供することを目的とするものである。
【課題を解決するための手段】
【００１１】
前記課題を解決するために本発明の請求項１の防虫カバーにあっては、ハンガーに掛けられた衣類を覆うカバー本体に、上下に延在したチャックで開閉される取出口が設けられた防虫カバーにおいて、前記取出口を、前記カバー本体の前面であって、当該カバー本体の中央より一側部側に設け、当該取出口を境とする前記一側部側の幅寸法を他側部側の幅寸法より狭く設定した。
【００１２】
すなわち、ハンガーに掛けられた衣類を取り出す際には、カバー本体に設けられたチャックを開放して当該カバー本体の前面に取出口を形成する。
【００１３】
このとき、この取出口は、前記カバー本体の前面であって、当該カバー本体の中央より一側部側に設けられている。このため、当該ハンガーがクローゼットに掛けられた状態において、当該カバー本体の一側部側より前記取出口に手を容易に挿入することができる。
【００１４】
また、前記取出口を境とする前記一側部側の幅寸法は、他側部側の幅寸法より狭く設定されている。このため、前記ハンガーに掛かられた衣類の側部、例えばハンガーに掛かられたジャケットの肩部を前記取出口より引き出して前記前面の前記一側部側より前方に露出した一部露出状態を形成することができ、この一部露出状態において、肩部をハンガーから外すことができる。
【００１５】
次に、前記取出口は、前記カバー本体の前面に形成される。このため、この取出口より挿入した手を衣類の前面に挿入することができる。これにより、例えばジャケットなどの前開きの衣類の奥側の肩部を、その前側から前記ハンガーより容易に取り外すことができる。
【００１６】
そして、前記ハンガーから取り外した衣類を前記取出口から取り出す。このとき、この取出口は、前記カバー本体の前面であって当該カバー本体の中央より一側部側に設けられている。このため、前記取出口は、当該カバー本体の厚み方向のみならず、前記前面の面方向にも広げられる。
【００１７】
また、請求項２の防虫カバーにおいては、前記カバー本体を、前面を形成する前面シート部材と背面を形成する背面シート部材とで構成するとともに、前記前面シート部材と前記背面シート部材との側縁が接合された側縁接合部を内側に谷折りにして前記カバー本体の厚み方向への展開を許容する襠部を設けた。
【００１８】
すなわち、カバー本体には、当該カバー本体の厚み方向への展開を許容する襠部が設けられている。このため、襠部が形成されていない場合と比較して、取出口の厚み方向への開き量を拡大することができる。
【００１９】
さらに、請求項３の防虫カバーでは、前記防虫カバーが、上縁が両側縁から中心に向かうにしたがって上方に傾斜している。
【００２０】
これにより、中央部が上方へ突出した山形のハンガーを収容するハンガー収容部を形成することができる。
【００２１】
加えて、請求項４の防虫カバーにあっては、前記カバー本体を、前面を形成する前面シート部材と背面を形成する背面シート部材とで構成し、前記前面シート部材の側縁と前記背面シート部材の側縁とを側縁接合部にて接合する一方、当該カバー本体の側縁部に、前記前面シート部材と前記背面シート部材とを接合するとともに、その一端が当該カバー本体の側縁に達する接合部を形成し、当該カバー本体の内側にポケットを形成した。
【００２２】
すなわち、前面シート部材と背面シート部材とで構成されたカバー本体の側縁部に、前記前面シート部材と前記背面シート部材とを接合するとともに、その一端が当該カバー本体の側縁に達する接合部を形成することによって、当該カバー本体の内側にポケットを形成することができる。
【００２３】
このため、このポケットによって小物収容空間が形成される。
【発明の効果】
【００２４】
以上説明したように本発明の請求項１の防虫カバーにあっては、衣類を取り出す取出口がカバー本体の中央より一側部側に設けられている。このため、カバー本体の中央部に取出口が設けられた従来のように、クローゼットに掛けられたハンガー同士が密接して配置されている場合であっても、隣接したハンガーとの間に大きなスペースを確保すること無く、当該カバー本体の一側部側より前記取出口を開口し、当該取出口より衣類を容易に取り出すことができる。
【００２５】
このとき、前記一側部側に設けられた前記取出口は、前記カバー本体の前面に設けられている。このため、前記取出口を、当該カバー本体の厚み方向のみならず、前記前面の面方向にも広げることができる。これにより、取出口をカバー本体の厚み方向にしか広げることができなかったカバー本体側縁に取出口が設けられた従来と比較して、前記取出口の開口面積を大きくすることができる。よって、衣類の取り出し性を向上することができる。
【００２６】
また、請求項２の防虫カバーにおいては、カバー本体に当該カバー本体の厚み方向への展開を許容する襠部が設けられており、襠部が形成されていない場合と比較して、取出口の厚み方向への開き量を拡大することができる。
【００２７】
これにより、衣類の取り出し性を、さらに向上することができる。
【００２８】
さらに、請求項３の防虫カバーでは、前記防虫カバーの上縁を、両側縁から中心に向かうに従って上方に傾斜することによって、ハンガーを収容するハンガー収容部を形成することができる。
【００２９】
加えて、請求項４の防虫カバーにあっては、前面シート部材と背面シート部材とで構成されたカバー本体の側縁部に、前記前面シート部材と前記背面シート部材とを接合するとともに、その一端が前記側縁に達する接合部を形成することによって、当該カバー本体の内側にポケットを形成することができる。
【００３０】
これにより、このポケットによって小物収容空間を形成することができ、例えば衣類に付着した埃を吸着する粘着ローラを収容しておくことができ、利便性が向上する。
【発明を実施するための最良の形態】
【００３１】
以下、本発明の一の実施の形態を図に従って説明する。図１は、本実施の形態にかかる防虫カバー１を示す図であり、該防虫カバー１は、ハンガー２に掛けた衣類を覆い害虫から保護するものである。
【００３２】
この防虫カバー１のカバー本体１１は、縦長の長方形状に形成されている。このカバー本体１１の上縁１２には、左側縁１３及び右側縁１４より当該カバー本体１１の中心Ｃへ向かうに従って上方に傾斜した第１傾斜部１５，１５と、両第１傾斜部１５，１５より前記中心Ｃへ向かうに従ってさらに上方へ向けて傾斜した第２傾斜部１６，１６と、両第２傾斜部１６，１６を結ぶ水平部１７とが形成されており、当該カバー本体１１の上縁部には、前記ハンガー２が収容される中央部が上方へ突出した山形のハンガー収容部１８が形成されている。
【００３３】
このカバー本体１１は、図２にも示すように、前面２１を構成する前面シート部材２２と背面２３を構成する背面シート部材２４とによって形成されており、両シート部材２２，２４または前面シート部材２２及び背面シート部材２４の少なくともいずれか一方の内面／または外側面には、防虫成分を含有した薬剤が印刷によって塗布されている。前記両シート部材２２，２４は、図１に示したように、周縁が熱圧着によって接合されることによって袋状に形成されており、この熱圧着部は、前記左側縁１３に沿って延在する左側縁接合部２５と、右側縁１４に沿って延在する右側縁接合部２６と、下縁２７に沿って延在する下縁接合部２８と、前記上縁１２に沿って延在する上縁接合部２９とによって構成されている。該上縁接合部２９は、前記水平部１７の中央部を除く部位に形成されており、この中央部には、前記ハンガー２の吊り下げ部３１を挿通する挿通部３２が設けられている。
【００３４】
前記左側縁接合部２５及び前記右側縁接合部２６は、当該カバー本体１１の内側へ谷折りされており、その上端部及び下端部が前記上縁接合部２９及び前記下縁接合部２８で接合されることによって、この谷折り状態が維持されている。これにより、このカバー本体１１には、図２に示したように、当該カバー本体１１の厚みＷ方向への展開を許容する襠部４１が左側部及び右側部に形成されている。
【００３５】
また、前記カバー本体１１の左側部の下側には、図１に示したように、前記前面シート部材２２と前記背面シート部材２４とを熱圧着して接合するとともに、その一端が前記左側縁１３に接続された接合部５１が形成されている。この接合部５１は、前記襠部４１の左側縁１３に平行して設けられるとともに前記左側縁接続部２５より内側に設定された直線状の縦線部５２と、該縦線部５２の下端より前記襠部４１の左側縁１３へ向けて延出し該左側縁１３に達する横線部５３とによってＬ字状に形成されており、当該カバー本体１１の内側には、前記接合部５１と前記左側縁接合部２５との間に、上方開口状のポケット５４が形成されている。
【００３６】
前記カバー本体１１の前面２１には、当該カバー本体１１の中心Ｃより左側部側に上縁１２から下縁２７に渡って上下に延在するスリット６１が形成されており、図３に示すように、当該カバー本体１１内のハンガー２に掛けられた衣類を取り出す為の取出口６２を開口できるように構成されている。この取出口６２を形成する前記スリット６１は、図１に示したように、前記上縁１２の前記第１傾斜部１５の中央部近傍に設定されており、当該カバー本体１１に前記ハンガー２を収容した状態で、該ハンガー２の左端部が位置する部位に設けられている。これにより、当該カバー本体１１の前面２１は、前記取出口６２を形成する前記スリット６１を境とする左方側の左方領域６３と右方側の右方領域６４とに区画されており、前記左方領域６３の幅寸法６５は、前記右方領域６４の幅寸法６６より狭くなるように構成されている。
【００３７】
なお、このスリット６１の位置は、当該カバー本体１１の中心Ｃより左側部側に設定すれば良いが、当該カバー本体１１の中心Ｃより左側の左側領域７１において、当該左側領域７１の中央より左側縁１３寄りに設定することが望ましく、さらには前述したように前記ハンガー２の左端部が位置する部位に設けることによって衣類の取り出し性を向上できることが実験により求められている。
【００３８】
そして、この取出口６２には、チャック７５が設けられており、当該取出口６２を開閉できるように構成されている。これにより、衣類取り出し時に開閉することで、内部への害虫の侵入を防止できるように構成されている。
【００３９】
すなわち、前記取出口６２を形成する前記スリット６１の対向した開口縁部には、互いに係脱自在に係合する帯状部材８１，８１が熱圧着で固定されており、両帯状部材８１，８１のチャック部には、両チャック部を係脱する為の操作部８２が設けられている。この操作部８２は、上下移動できるように構成されており、当該操作部８２を上動した際には、前記両帯状部材８１，８１のチャック部を係合して前記取出口６２を閉鎖する一方、前記操作部８２を下動した際には、前記両帯状部材８１，８１のチャック部の係合を解除して前記取出口６２を開放できるように構成されている。
【００４０】
以上の構成にかかる本実施の形態において、クローゼットに掛け渡されたパイプに掛けられたハンガーから、図４に示すように、衣類としてのジャケット９１を取り出す際には、カバー本体１１に設けられたチャック７５を開放して当該カバー本体１１の前面２１に取出口６２を形成する。
【００４１】
このとき、この取出口６２は、前記カバー本体１１の前面２１であって、当該カバー本体１１の中心Ｃより左側部側に設けられている。このため、当該ハンガー２がクローゼットに掛けられた状態において、当該カバー本体１１の左側部側より前記取出口６２に手を容易に挿入することができる。
【００４２】
また、前記取出口６２を境とする前記左側部側の左方領域６３の幅寸法６５は、右側部側の右方領域６４の幅寸法６６より狭く設定されている。このため、前記ハンガー２に掛かられたジャケット９１側部の肩部９５を前記取出口６２より引き出して前記前面２１の前記左側部側より前方に露出した一部露出状態９６を形成することができ、この一部露出状態９６において、前記肩部９５を前記ハンガー２から外すことができる。
【００４３】
次に、前記取出口６２は、前記カバー本体１１の前面２１に形成されている。このため、この取出口６２より挿入した手を前記ジャケット９１の前面側に挿入することができる。これにより、前開きのジャケット９１の奥側の肩部９７を、その前側から前記ハンガー２より容易に取り外すことができる。
【００４４】
そして、前記ハンガー２から取り外した前記ジャケット９１を前記取出口６２から取り出す。このとき、この取出口６２は、前記カバー本体１１の前面２１であって当該カバー本体１１の中心Ｃより左側部側に設けられている。このため、前記取出口６２は、図３に示したように、当該カバー本体１１の厚み方向１０１のみならず、前記前面２１の平面方向１０２にも広げることができる。
【００４５】
このように、前記ジャケット９１を取り出す取出口６２が前記カバー本体１１の中央より左側部側に設けられているので、前記カバー本体１１の中央部に取出口６２が設けられた従来のように、クローゼットに掛けられたハンガー２同士が密接して配置されている場合であっても、隣接したハンガー２との間に大きなスペースを確保すること無く、当該カバー本体１１の左側部側より前記取出口６２を開口し、当該取出口６２より前記ジャケット９１を容易に取り出すことができる。
【００４６】
このとき、前記左側部側に設けられた前記取出口６２は、前記カバー本体１１の前面２１に設けられている。このため、前記取出口６２を、当該カバー本体１１の厚み方向１０１のみならず、前記前面２１の平面方向１０２にも広げることができる。これにより、取出口６２をカバー本体１１の厚み方向１０１にしか広げることができなかったカバー本体側縁に取出口が設けられた従来と比較して、前記取出口６２の開口面積を大きくすることができる。よって、ジャケット９１の取り出し性を向上することができる。
【００４７】
また、前記カバー本体１１には、当該カバー本体１１の厚み方向１０１への展開を許容する襠部４１が設けられており、この襠部４１が形成されていない場合と比較して、前記取出口６２の厚み方向１０１への開き量を拡大することができる。
【００４８】
これにより、前記ジャケット９１の取り出し性を、さらに向上することができる。
【００４９】
そして、前面シート部材２２と背面シート部材２４とで構成されたカバー本体１１の側縁部に、前記前面シート部材２２と前記背面シート部材２４とを接合するとともに、その一端が左側縁１３に達する接合部５１を形成することによって、当該カバー本体１１の内側にポケット５４を形成することができる。
【００５０】
これにより、このポケット５４によって小物収容空間を形成することができるため、例えば衣類に付着した埃を吸着する粘着ローラを当該ポケット５４に収容しておくことができ、利便性を向上することができる。
【００５１】
このとき、このポケット５４は、前記取出口６２が設けられた前記カバー本体１１の左側部に設けられている。このため、前記ポケット５４に収容した小物の前記取出口６２からの取り出しを容易に行うことができる。
【図面の簡単な説明】
【００５２】
【図１】本発明の一実施の形態を示す正面図である。
【図２】同実施の形態を示す側面図である。
【図３】同実施の形態の使用形態を示す斜視図である。
【図４】同実施の形態の使用状態を示す説明図である。
【符号の説明】
【００５３】
１    防虫カバー
２    ハンガー
１１    カバー本体
１３    左側縁
１４    右側縁
２１    前面
２２    前面シート部材
２４    背面シート部材
２５    左側縁接合部
２６    右側縁接合部
４１    襠部
５１    接合部
５４    ポケット
６２    取出口
７５    チャック
９１    ジャケット
１０１    厚み方向
１０２    平面方向
Ｃ    中心
【図１】
2006345941.tif 000003
【図２】
2006345941.tif 000004
【図３】
2006345941.tif 000005
【図４】
2006345941.tif 000006